(57)【要約】【課題】  簡単な構成で電力線通信信号を電力線に重畳できる電力線通信信号重畳装置及びそれを用いた電力線通信ネットワークを提供する。【解決手段】  第一の導体線４が巻回された環状の第一の磁気コア３と、第二の導体線６が巻回された環状の第二の磁気コア５とを備え、第一の磁気コア３に単層２線式電力線の一方１を挿通し、第二の磁気コア５に単層２線式電力線の一方１又は他方２を挿通し、第一の導体線４と第二の導体線６とを互いに接続してループを形成したので、電力線１、２上を伝送する過程で信号が減衰しても、減衰した位置で信号を重畳して信号レベルを高められる。【選択図】        図１
2005184466.tif 000002
【特許請求の範囲】
【請求項１】
第一の導体線が巻回された環状の第一の磁気コアと、第二の導体線が巻回された環状の第二の磁気コアとを備え、前記第一の磁気コアに単層２線式電力線の一方を挿通し、前記第二の磁気コアに前記単層２線式電力線の一方又は他方を挿通し、第一の導体線と前記第二の導体線と互いに接続してループを形成したことを特徴とする電力線通信信号重畳装置。
【請求項２】
前記磁気コアをフェライトで構成したことを特徴とする請求項１乃至３の何れかに記載の電力線通信信号重畳装置。
【請求項３】
請求項１又は２に記載の電力線通信信号重畳装置と、前記単層２線式電力線間に、電力線通信を行うための第一の端末装置と第二の端末装置とを接続したことを特徴とする電力線通信ネットワーク。
【請求項４】
前記第一の磁気コアが挿通された位置の近傍の前記単層２線式電力線間に前記第一の端末装置を接続し、前記第二の磁気コアが挿通された位置の近傍の前記単層２線式電力線間に前記第二の端末装置を接続したことを特徴とする請求項３に記載の電力線通信ネットワーク。
【発明の詳細な説明】
【技術分野】
【０００１】
本発明は、電力線通信信号重畳装置及びそれを用いた電力線通信ネットワークに関する。
【背景技術】
【０００２】
３相３線式電力線を用いた従来の電力線通信ネットワークを図３に従って説明する。Ｒ相の電力線１０とＳ相の電力線２０との間に端末Ａが接続だれ、Ｓ相の電力線２０とＴ相の電力線３０との間に端末Ｂが接続され、Ｔ相の電力線３０とＲ相の電力線１０との間に端末Ｃが接続される。
【０００３】
また、Ｒ相の電力線１０とＳ相の電力線２０とＴ相の電力線３０との間には結合回路１００が接続される。結合回路１００は、低周波成分を遮断する第一のコンデンサＣ１と第二のコンデンサＣ２とトランスＴから構成され、トランスＴは一次コイルＬ１、二次コイルＬ２を有する。
【０００４】
すなわち、Ｒ相の電力線１０とＳ相の電力線２０との間は、第一のコンデンサＣ１とトランスＴの一次コイルＬ１とからなる直列回路を介して接続され、Ｓ相の電力線２０とＴ相の電力線３０との間は、トランスＴの二次コイルＬ２と第二のコンデンサＣ２とからなる直列回路を介して接続される。また、Ｔ相の電力線３０とＲ相の電力線１０との間は、第二のコンデンサＣ２、トランスＴ、第一のコンデンサＣ１を介して接続される。
【０００５】
これによって、Ｒ相の電力線１０とＳ相の電力線２０との間に接続される端末Ａ、Ｓ相の電力線２０とＴ相の電力線３０との間に接続される端末Ｂ、Ｔ相の電力線３０とＲ相の電力線１０との間に接続される端末Ｃとの間における電力線通信が可能となる（例えば、特許文献１参照。）。
【０００６】
【特許文献１】特開平０７−２３５８９７号公報（図１）。
【発明の開示】
【発明が解決しようとする課題】
【０００７】
上記構成では、３相３線式電力線のいずれの２線間との間でも電力線通信が可能となるが、そのために使用する結合回路にはトランスと二個のコンデンサとが使用されるのでその構成が複雑となる。
【０００８】
本発明は、簡単な構成で電力線通信信号を電力線に重畳できる電力線通信信号重畳装置及びそれを用いた電力線通信ネットワークを提供する。
【課題を解決するための手段】
【０００９】
本発明の電力線通信信号重畳装置は、第一の導体線が巻回された環状の第一の磁気コアと、第二の導体線が巻回された環状の第二の磁気コアとを備え、前記第一の磁気コアに単層２線式電力線の一方を挿通し、前記第二の磁気コアに前記単層２線式電力線の一方又は他方を挿通し、第一の導体線と前記第二の導体線と互いに接続してループを形成した。
【００１０】
また、本発明の電力線通信信号重畳装置は、前記磁気コアをフェライトで構成した。
【００１１】
また、本発明の電力線通信ネットワークは、請求項１又は２に記載の電力線通信信号重畳装置と、前記単層２線式電力線間に、電力線通信を行うための第一の端末装置と第二の端末装置とを接続した。
【００１２】
また、本発明の電力線通信ネットワークは、前記第一の磁気コアが挿通された位置の近傍の前記単層２線式電力線間に前記第一の端末装置を接続し、前記第二の磁気コアが挿通された位置の近傍の前記単層２線式電力線間に前記第二の端末装置を接続した。
【発明の効果】
【００１３】
請求項１に記載の電力線通信信号重畳装置は、第一の導体線が巻回された環状の第一の磁気コアと、第二の導体線が巻回された環状の第二の磁気コアとを備え、第一の磁気コアに単層２線式電力線の一方を挿通し、第二の磁気コアに単層２線式電力線の一方又は他方を挿通し、第一の導体線と第二の導体線とを互いに接続してループを形成したので、電力線上を伝送する過程で信号が減衰しても、減衰した位置で信号を重畳することができ、従って、電力線上の信号レベルを高められる。
【００１４】
また、請求項２に記載の電力線通信信号重畳装置は、磁気コアをフェライトで構成したので、信号を効率的に検出し、重畳できる。
【００１５】
また、請求項３に記載の電力線通信ネットワークは、請求項１又は２に記載の電力線通信信号重畳装置と、単層２線式電力線間に、電力線通信を行うための第一の端末装置と第二の端末装置とを接続したので、第一の端末装置が設置された位置と第二の端末装置が設置された位置とが離れすぎて、電力線上を伝送する過程で信号が減衰することで両端末装置間の通信に支障を来す場合でも、離れた位置で電力線に信号を重畳することで信号のレベルが高くなるので、通信が可能となる。
【００１６】
また、請求項４に記載の電力線通信ネットワークは、第一の磁気コアが挿通された位置の近傍の単層２線式電力線間に第一の端末装置を接続し、第二の磁気コアが挿通された位置の近傍の単層２線式電力線間に第二の端末装置を接続したので、端末装置にはレベルが高められた信号を入力できる。
【発明を実施するための最良の形態】
【００１７】
本発明の電力線通信信号重畳装置及びそれを用いた電力線通信ネットワークについて図１及び図２を参照して説明する。
【００１８】
図１において、単層２線式電力線１と２との間には離間した位置に、相互に電力線通信を行う第一の端末装置Ａと第二の端末装置Ｂとが接続される。また、第一の端末装置Ａの近傍には、一方の電力線１が挿通された環状の第一の磁気コア３が設けられ、第一の磁気コア３には第一の導体線４が適宜の回数に巻回されている。さらに、第二の端末装置Ｂの近傍には、一方の電力線１が挿通された環状の第二の磁気コア５が設けられ、第二の磁気コア５には第二の導体線６が適宜の回数に巻回されている。第一の磁気コア３及び第二の磁気コア５はフェライト等の高透磁率の磁性材料で構成される。そして、第一の導体線４と第二の導体線６とは、ループを形成するように接続される。
【００１９】
以上の構成において、例えば、第一の端末装置から出力された電力線通信信号（単に、信号とする）は電力線１及び２を平衡伝送線路として第二の端末装置Ｂ側に伝送される。
【００２０】
ここで、電力線１と第一の導体線４とは第一の磁気コア３を介して結合されていわゆるカレントトランスを構成し、同様に、電力線１と第二の導体線６とがカレントトランスを構成しているので、第一の電力線１を伝送する信号が第一の導体線４で検出され、それが、第二の導体線６を介して再び電力線１に重畳される。第二の導体線６を介して重畳される信号の位相は電力線１上を伝送する信号の位相と同じになるように、第一及び第二の導体線４、６の巻方向を決める。
【００２１】
従って、第一の端末装置Ａが設置された位置と第二の端末装置Ｂが設置された位置とが離れすぎて、電力線１、２を伝送する過程で信号が減衰することで両端末装置Ａ、Ｂ間の通信に支障を来す場合でも、一方の電力線１に信号を重畳することで信号のレベルが高くなるので、通信が可能となる。
【００２２】
図２は一方の電力線１に流れる信号を検出し、これを他方の電力線２に重畳する構成を示す。従って、第一の磁気コア３に一方の電力線１を挿通し、第二の磁気コア５に他方の電力線２を挿通する。この場合は、電力線１に流れる信号の位相に対して電力線２に流れる信号の位相が逆転しているので、第二の導体線６に流れる信号の方向を図１のものとは反対になるように第一の導体線４と第二の導体線６とを接続する。
【図面の簡単な説明】
【００２３】
【図１】本発明の電力線通信信号重畳装置及びそれを用いた電力線通信ネットワークの構成を示す回路図である。
【図２】本発明の電力線通信信号重畳装置及びそれを用いた電力線通信ネットワークの他の構成を示す回路図である。
【図３】従来の電力線通信信号重畳装置及びそれを用いた電力線通信ネットワークの構成を示す回路図である。
【符号の説明】
【００２４】
１、２：電力線
３：第一の磁気コア
４：第一の導体線
５：第二の磁気コア
６：第二の導体線
Ａ：第一の端末装置
Ｂ：第二の端末装置
【図１】
2005184466.tif 000003
【図２】
2005184466.tif 000004
【図３】
2005184466.tif 000005